(57)【特許請求の範囲】
【請求項１】
骨片固定装置であって、
Ａ）両端部（2,3）にそれぞれ少なくとも一つの貫通するねじ穴（４）と板縦軸線（５）の方向に延びている中心の長穴（６）とを有している縦方向の骨板（１）と、
Ｂ）長穴（６）を側方で画定している細条部（７）上に板縦軸線（５）の方向に移動可能に配置されている滑動体（10）と、を有する装置において、
Ｃ）滑動体（10）が、取り付け状態で板縦軸線（５）に対して横方向に延びる長穴（11）を有し、かつ
Ｄ）長穴（６）の長さが骨板（１）の全長の45−60％である、ことを特徴とする骨片固定装置。
【請求項２】
滑動体（10）の長穴（11）の長さが、ほぼ骨板（１）の長穴（６）の幅に対応していることを特徴とする、請求の範囲第１項に記載の骨片固定装置。
【請求項３】
長穴（６）の幅が骨板（１）の全幅の50−65％であることを特徴とする、請求の範囲第１項または第２項に記載の骨片固定装置。
【請求項４】
骨板（１）の厚さが骨板（１）の全幅の８−12％であることを特徴とする、請求の範囲第１項ないし第３項のいずれか１つに記載の骨片固定装置。
【発明の詳細な説明】
本発明は請求の範囲第１項の前提部分に記載の骨片固定装置に関するものである。
本骨片固定装置は、特に、下顎の頬顎異常矯正に適している。顎の顔面領域における欠損形態を治療するため、骨切りを行なって骨片を変位させる。このようにして得られた骨の破片の固定は、破片の変位を伴う骨切りの後に完全に一致する骨面が存在しないので、部分的に困難である。下顎の骨切りの場合には、隣接の骨片に顎関節が局在しており、その位置は変えるべきでないので、状況はさらに困難になる。このような状況は近年ますます努力がなされている精密で機能安定な接骨を困難にさせる。
この分野で従来知られている装置、例えばドイツ特許発明明細書第23.40.880号に記載の装置は、いずれも手術中の適合能力がほとんどなく、手術後においては板面から外側への撓み能が実質的にないという欠点を持っている。
欧州特許公開第0507162号明細書からは、両端部にそれぞれ少なくとも一つの貫通するねじ穴を有している縦方向の骨板を備えた骨片固定装置が知られている。この公知の骨板はさらに板縦軸線の方向に延びている中心の長穴を有している。最後に、滑動体も設けられているが、これは長穴を側方で画定している細条部上に板縦軸線の方向に移動可能に配置されている。しかしながらこれにより、骨片を互いに制限的にしか位置合わせできない。
したがって本発明はその対策を提供しようとするものである。本発明の課題は、骨片を互いに位置合わせする際に手術中に適合させることができ、他方板面に対して横方向へ装置をある程度撓ませることができるような骨片固定装置を提供することである。
本発明は上記課題を請求の範囲第１項の構成要件を有している装置、及び請求の範囲第６項の構成要件を有している前記装置のための骨板により解決するものである。
本発明の他の有利な構成は従属項で特徴づけられている。
本発明によって達成される利点は主に次の点に見られる。本発明による装置により骨片を互いに位置合わせする際に、特に顎顔面に適用する際の咬合時に大きな可撓性が得られる。縦方向の骨板に取り付けられ、板縦軸線に対して横方向に延びている長穴を備えた滑動体により、骨板のＸ−Ｙ面内での画定された二次元取り付けが可能になる。縦方向の骨板がＺ方向に、即ちＸ−Ｙ面から突出する方向に付加的な（構造的には長穴により制限された）可撓性を持っていることにより、頬顎異常矯正後に顎関節の位置誤差が生じたときに一層適合させることができる。
次に、本発明及び本発明の他の構成を、一実施形態に関してより詳細に説明する。
図１は、下顎に取り付けられた本発明による装置の斜視図、
図２は、本発明による装置の骨板を上から見た図、
図３は、図２の骨板の線III−IIIに沿った縦断面図、
図４は、本発明による装置の滑動体を上から見た図、
図５は、図４の滑動体の線Ｖ−Ｖに沿った縦断面図、
図６は、図４の滑動体の線VI−VIに沿った縦断面図、
図７は、下顎に取り付けられ、手術中に骨板の縦方向に適合能力がある本発明による装置の斜視図、
図８は、下顎に取り付けられ、手術中に骨板に対して横方向に適合能力がある本発明による装置の斜視図、
図９は、下顎に取り付けられ、骨板の面に対して垂直に最大限の適合能力がある、本発明による装置の骨板を、手術後の最終状態で示した斜視図、
図10は、下顎に取り付けられ、骨板の面に対して垂直に最小限の適合能力がある本発明による装置を、手術後の最終状態で示した斜視図、
である。
図１に図示した本発明による装置は、本質的には、縦方向の骨板１と、骨板上に移動可能に配置されている滑動体10とから構成されている。
図２と図３に詳細に図示した縦方向の骨板１は、その両端部2,3にそれぞれ二つの貫通するねじ穴４を有し、これらのねじ穴により皮質ねじ８（図１）を下顎骨20の中にねじ込むことができる。さらに骨板１は板縦軸線５の方向に延びる中心の長穴６を有している。骨板１の全長が30−50mm（典型的には44mm）で、骨板１の中心部において測った最大幅が６−8mm（例えば7mm）で、厚さが0.5−0.8mm（例えば0.7mm）である場合、長穴６の長さを18−27mmの範囲に選定するのが合目的的であり、典型的には22.8mmである。長穴６の幅は３−5mmの範囲に選定するのが合目的的であり、典型的には4mmである。
図４−６に詳細に示した滑動体10は同様にほぼ板状に形成されており、長穴11を有している。末端のレール12は滑動体10に次のように配置され、且つサイズを選定されている。即ち骨板１の長穴６を側方で画定している細条部７上に滑動体10を取り付けることができ、且つ板縦軸線５の方向に滑動体10を移動させることができるように配置され、且つサイズを選定されている。この場合、滑動体10の長穴11は取り付け状態で板縦軸線５に対して横方向に延びる。
滑動体10の長さが9mmである場合、長穴11の長さを３−5mmの範囲に選定するのが合目的的であり、典型的には4mm、即ち骨板１の長穴６の幅に対応している。
次に図１及び図７−10を用いて、下顎における移植骨切り手術（顎障害）中及び手術後の本発明による骨片固定装置の使用態様について説明する。このため、手術中に骨片21に矢状分割骨切り術を施した後、骨板１の一端２に２本の皮質ねじ８を穴４に差し込んで骨板１を固定させる（関節の回転を阻止するための単皮質的ねじ止め）。長穴６の領域において骨板１上にある滑動体10を、ねじ９を用いて−同様に単皮質的に−骨片22に暫定的に固定させる。この状態は図７と図８に図示されている。
このような本発明による別の装置1,10を、下顎20の他の側−図１では見えない−にも固定させる。
次に上顎内の固定を解除し、下顎を手で中央の関節位置へ案内する。固定が正確に行われていれば、下顎を手術前に計画した咬合位置へ案内することができる。咬合位置へ案内できなければ、関節がわずかに脱臼している可能性があるが、これは噛むと開口するのでわかる。或いは矢状取り付けが正確でない可能性があるが、これは特異な括抗作用を生じさせることがある。このような場合には、滑動体10の長穴11内のねじ９を緩め、下顎を適当に手で正確な位置へ調整し、ねじ９を新たに固定し、場合によってはこのような処置を繰り返す。
骨板１の縦方向に配置される長穴６と、この長穴に対して横方向に配置される滑動体10の長穴11とにより、顎の位置を調整して本発明による装置1,10を三次元的に固定することが保証される。この固定は、矢印13によって示したＸ方向においても（図７）、矢印14（図８）によって示したＹ方向においても行われる。
上顎と下顎との正確な相対位置を調整（咬合）した後、滑動体10の長穴11内のねじ９を締め、その結果滑動体10はＸ方向及びＹ方向において骨板１に対しても骨片22に対してもロックされる。
さらに、図９に示すように、骨板１の他端２に設けたまだ開口しているねじ穴４に別の２本の皮質ねじ８を差し込んで骨片22に固定し、滑動体10を離間させる。
骨板１が通常の骨板に比べて厚さが薄く、比較的幅が広いことにより、Ｚ軸（矢印15）の方向での適合が可能になり、従ってＹ軸方向の強度を損なうことなく顎関節23の軸誤差を画定的に修正することが可能になる。
図９に示すように、滑動体10を完全に省けば、手術後Ｚ軸（矢印15）方向での最大の適合能力が得られる。図10に示すように滑動体10を取り付けると、手術後Ｚ軸（矢印15）方向での最小の適合能力が得られる。
【図２】
0003566967.tif 000002
【図３】
0003566967.tif 000003
【図５】
0003566967.tif 000004
【図６】
0003566967.tif 000005
【図１】
0003566967.tif 000006
【図４】
0003566967.tif 000007
【図７】
0003566967.tif 000008
【図８】
0003566967.tif 000009
【図９】
0003566967.tif 000010
【図１０】
0003566967.tif 000011